(57)【要約】  運転者に提供する情報として車両の状態に関する情報を取得する車両状態取得部と、車両状態取得部が取得した情報の緊急度を判定する緊急度判定部と、情報を緊急度判定部の判定結果に基づいた表示領域に表示するよう表示態様を決定する表示態様決定部とを備えた。
2015025350.tif 000002
【特許請求の範囲】
【請求項１】
運転者に対して、走行中に情報を提供する車載表示制御装置であって、
運転者に提供する情報として車両の状態に関する情報を取得する車両状態取得部と、
前記車両状態取得部が取得した情報の緊急度を判定する緊急度判定部と、
前記情報を前記緊急度判定部の判定結果に基づいた表示領域に表示するように表示態様を決定する表示態様決定部とを備えた
ことを特徴とする車載表示制御装置。
【請求項２】
運転者に対して、走行中に情報を提供する車載表示制御装置であって、
運転者に提供する情報として車両の状態に関する情報を取得する車両状態取得部と、
前記車両状態取得部が取得した情報の緊急度を判定する緊急度判定部と、
表示領域への表示情報量を前記緊急度判定部の判定結果に基づいた表示情報量とするように表示態様を決定する表示態様決定部とを備えた
ことを特徴とする車載表示制御装置。
【請求項３】
車外の状態に関する情報を取得する車外状態取得部と、
前記車外状態取得部が取得した情報に基づき、前記運転者の視界状態を判定する視界状態判定部とをさらに備え、
前記表示態様決定部は、前記緊急度判定部の判定結果および前記視界状態判定部の判定結果に基づき前記表示態様を決定する
ことを特徴とする請求項１または請求項２記載の車載表示制御装置。
【請求項４】
前記運転者の状態に関する情報を取得する運転者状態取得部をさらに備え、
前記表示態様決定部は、前記運転者の状態に関する情報に基づき、表示態様を決定する
ことを特徴とする請求項１または請求項２記載の車載表示制御装置。
【請求項５】
前記車両状態取得部は、現在地の法定速度、および、自車両の速度を取得し、
前記緊急度判定部は、前記現在地の法定速度、および、自車両の速度に基づき、前記情報の緊急度を判定する
ことを特徴とする請求項１または請求項２記載の車載表示制御装置。
【請求項６】
前記車両状態取得部は、目的地と現在地の距離、または、目的地到達までにかかる時間を取得し、
前記緊急度判定部は、前記目的地と現在地の距離、または、前記目的地到達までにかかる時間に基づき、前記情報の緊急度を判定する
ことを特徴とする請求項１または請求項２記載の車載表示制御装置。
【請求項７】
前記車両状態取得部は、車内の環境情報を取得し、
前記緊急度判定部は、前記環境情報とあらかじめ設定された基準値とに基づき、前記情報の緊急度を判定する
ことを特徴とする請求項１または請求項２記載の車載表示制御装置。
【請求項８】
前記車両状態取得部は、車両前方状態または車両後方状態を取得し、
前記緊急度判定部は、車両前方または車両後方の注意対象物の存在有無に基づき、前記情報の緊急度を判定する
ことを特徴とする請求項１または請求項２記載の車載表示制御装置。
【請求項９】
前記車外状態取得部は、車外の照度を取得し、
前記表示態様決定部は、前記照度が、あらかじめ設定された基準以上の場合に、前記表示態様を決定する
ことを特徴とする請求項３記載の車載表示装置。
【請求項１０】
前記車外状態取得部は、車外の表示障害物の有無を取得し、
前記表示態様決定部は、背景に前記表示障害物が存在する表示領域に前記情報を表示しない
ことを特徴とする請求項３記載の車載表示装置。
【請求項１１】
前記車外状態取得部は、現在地周辺施設情報を取得し、
前記表示態様決定部は、前記現在地周辺施設情報に基づき、前記表示態様を決定する
ことを特徴とする請求項３記載の車載表示装置。
【請求項１２】
前記運転者状態取得部は、前記運転者の目線または年齢または視覚補助具のうちのいずれか一つに関する情報を取得し、
前記表示態様決定部は、前記運転者の目線または年齢または視覚補助具のうちのいずれか一つに関する情報に基づき、前記表示態様を決定する
ことを特徴とする請求項４記載の車載表示装置。
【請求項１３】
前記運転者状態取得部は、前記運転者の眼球移動量を取得、または、前記運転者の眼球移動量から前記運転者の注視箇所および注視時間を算出し、
前記表示態様決定部は、前記運転者の眼球移動量、または、注視箇所および注視時間に基づき、前記表示態様を決定する
ことを特徴とする請求項４記載の車載表示装置。
【発明の詳細な説明】
【技術分野】
【０００１】
この発明は、運転者に対して走行中に情報を提供する車載表示制御装置に関するものである。
【背景技術】
【０００２】
車載表示制御装置は、運転者に対して走行中に情報を提供する。そのため、車載表示制御装置の表示方法によっては、運転者に対して提供する情報の表示が十分なものになっていないという場合もある。
その解決法として、運転者の属性や状態に応じて、情報の提供方法を変更する方法が考えられる。車載表示制御装置としては、情報をより見やすく表示させるものとして、運転者前方部（ダッシュボード上、フロントガラス、サンバイザー部、など）に情報を表示するヘッドアップディスプレイ表示（ＨＵＤ）や、インパネ部表示などの、運転者の視線移動が少ない領域への表示をおこなう車載表示制御装置が注目されている。【０００３】
なお、ＨＵＤとは、フロントガラス部、ダッシュボード上、サンバイザー部などの、運転者の前方視野領域に高反射率の板（コンバイナー）またはシートを設置し、文字などのナビ表示を投影する表示装置である。インパネ部表示とは、ハンドル奥の領域に情報表示することである。
例えば、特許文献１には、ＨＵＤについて、運転者の年齢情報とサングラスの着用有無に合わせて、表示像の表示幅を変更させる技術について開示されている。
また、特許文献２には、ＨＵＤについて、運転者の視野範囲に基づき、各車載カメラから入力される死角画像の表示位置を変更させる技術について開示されている。
【先行技術文献】
【特許文献】
【０００４】
【特許文献１】特開２０１０−１４０２５３号公報
【特許文献２】特開２０１０−１８２０１号公報
【発明の概要】
【発明が解決しようとする課題】
【０００５】
車載表示制御装置は、運転者に対して走行中に情報を提供する。ここでいう情報とは、自車両に関する警告、運転者に関する警告、他車両に関する警告、自車両の速度、自車両の走行状態（速度以外）、自車両の空調状態、自車両の機能設定の状態、自車両のＡＶ機器状態、電波受信情報、目的地案内情報、目的地までのルート情報、各表示領域の状態、のことを指す。【０００６】
しかしながら、運転中の運転者は、前方へ注意を向けていなければならない。そのため、車載表示制御装置の表示制御方法によっては、運転者の情報取得負荷が高くなってしまう。また、インパネ部やＨＵＤは、前方視界（フロントガラス）と表示領域の位置が近いため、運転中の情報取得負荷が低いが、情報を表示する領域によっては、運転者の状態（年代、視覚補助具、目線高さなど）や車の状況により、表示する領域で表示の見やすさや、取得できる情報量が異なる。【０００７】
これに対し、例えば、特許文献１や特許文献２のような従来の車載表示制御装置では、運転者の年齢情報に応じて表示幅や表示位置を変更させることについて開示されていたとしても、車の状態を考慮し、表示する領域、または、表示する情報量を変更することについては考慮されていないという課題があった。【０００８】
この発明は、上記のような課題を解決するためになされたものであり、車の状態を判定して表示領域または表示情報量を変更することで、運転者が、運転中の情報取得をより的確に行なえる車載表示制御装置を提供することを目的とする。
【課題を解決するための手段】
【０００９】
この発明に係る車載表示制御装置は、運転者に対して、走行中に情報を提供する車載表示制御装置であって、運転者に提供する情報として車両の状態に関する情報を取得する車両状態取得部と、前記車両状態取得部が取得した情報の緊急度を判定する緊急度判定部と、前記情報を前記緊急度判定部の判定結果に基づいた表示領域に表示するよう表示態様を決定する表示態様決定部とを備えたものである。
【発明の効果】
【００１０】
この発明によれば、車両が表示する情報について、車の状態に応じて、表示される領域または情報量を変更することで、表示の視認性を上げるとともに、運転中により的確に、十分な情報取得を行なうことができる。
【図面の簡単な説明】
【００１１】
【図１】この発明の実施の形態１に係る車載表示制御装置の構成図である。
【図２】この発明の実施の形態１に係る車載表示制御装置の動作を示すフローチャートである。
【図３】表示領域を説明する図である。
【図４】この発明の実施の形態６に係る車載表示制御装置の構成図である。
【図５】この発明の実施の形態６に係る車載表示制御装置の動作を示すフローチャートである。
【図６】実施の形態１〜５で図１を用いて説明した車載表示制御装置に、運転者状態取得部と運転者状態判定部とをさらに備えた車載表示制御装置の構成図である。
【図７】実施の形態６〜９で図４を用いて説明した車載表示制御装置に、運転者状態取得部と運転者状態判定部とをさらに備えた車載表示制御装置の構成図である。
【図８】この発明の実施の形態１０に係る車載表示制御装置の運転者状態取得部，運転者状態判定部、および、表示態様決定部の動作のフローチャートである。
【発明を実施するための形態】
【００１２】
以下、この発明の実施の形態について添付の図面を参照しながら詳細に説明する。
実施の形態１．
図１は、この発明の実施の形態１に係る車載表示制御装置１の構成図である。
この実施の形態１に係る車載表示制御装置１は、車両状態取得部１０と、情報緊急状態判定部１１と、表示態様決定部１２と、表示部１３と、制御パラメータ１４とを備える。
なお、ここでは、車載表示制御装置１が表示部１３を備える構成としているが、表示部１３は、車載表示制御装置１の外部に備えるものとしてもよい。
車両状態取得部１０は、車両の状態の情報を取得する。なお、この実施の形態１では、車両状態取得部１０は、現在地の法定速度、および、自車両の速度を取得するものとする。
情報緊急状態判定部１１は、車両状態取得部１０が取得した車両の状態に応じて情報の緊急度を判定する。
表示態様決定部１２は、情報緊急状態判定部１１が判定した情報の緊急度に応じて、情報を表示する表示領域、または、表示領域への表示情報量を決定する。
【００１３】
表示部１３は、運転者に対して情報を表示する。なお、ここでいう情報とは、自車両に関する警告、運転者に関する警告、他車両に関する警告、自車両の速度、自車両の走行状態（速度以外）、自車両の空調状態、自車両の機能設定の状態、自車両のＡＶ機器状態、電波受信情報、目的地案内情報、目的地までのルート情報、各表示領域の状態等のことを指すものとする。
制御パラメータ１４は、運転者および車の状況に対応した適切な表示領域のパラメータを記憶している。
【００１４】
図２は、この発明の実施の形態１に係る車載表示制御装置１の動作を示すフローチャートである。
図示しない制御部により、車のキーがＯＮされたと判断されると（ステップＳＴ１０１）、車両状態取得部１０は、車両の状態を取得する（ステップＳＴ１０２）。
ここでは、車両状態取得部１０は、車両の状態の情報として、ナビゲーションによる現在地の法定速度、および、自車両の速度といった車両状態を取得する。
【００１５】
情報緊急状態判定部１１は、ステップＳＴ１０２において車両状態取得部１０が取得した現在地の法定速度、および、自車両の速度を受信し、受信した現在地の法定速度、および、自車両の速度に基づき情報緊急度を判定する（ステップＳＴ１０３）。具体的には、例えば、自車両の速度が法定速度超過の場合は「緊急度：高」、自車両の速度が法定速度内のときは「緊急度：低」と判定する。これは、車両の速度が速ければ、より速やかに情報を提供する必要があるため、緊急度が高いとするものである。なお、判定の基準とする自車両の速度は、これに限らず、適宜設定可能とする。
【００１６】
表示態様決定部１２は、ステップＳＴ１０３で情報緊急状態判定部１１が判定した情報緊急度を判定ルールに照らし合わせ、表示部１３に表示する表示情報の制御をおこなう（ステップＳＴ１０４）。なお、ここでいう表示情報とは、自車両の速度の数値やメーター・アイコンなどの自車両速度情報（外部環境警告情報）のことであり、ここでいう制御とは、表示する情報について、表示領域の決定と情報量の増減である。具体的には、制御パラメータ１４を参照し、適切な表示領域と表示する情報量を決定する。例えば、「緊急度：高」の場合は、ＨＵＤ上部領域やＨＵＤ下部領域、ダッシュボード上領域への外部環境警告情報表示量を増加させる、または、インパネ領域、ナビ領域への表示量を減少させる、などである。これは、ＨＵＤ上部領域やＨＵＤ下部領域、ダッシュボード上領域は、運転者の目線に近く、情報を取得しやすいためである。
【００１７】
なお、これらの対応する表示領域や表示量は、あらかじめ制御パラメータに登録されている。また、ここでは緊急状態にあわせて表示領域および表示する情報量を変更するよう決定するものとしたが、緊急状態にあわせて表示領域のみを変更するようにしてもよいし、表示する情報量のみを変更するようにしてもよい。
【００１８】
ここで、表示領域について、図３を用いて説明する。
表示領域とは、図３に示すように、ナビ領域・インパネ領域・ダッシュボード上領域・ＨＵＤ上部領域・ＨＵＤ下部領域の５つの領域を指す。ナビ領域とは、経路案内などのナビゲーション画面をいい、インパネ領域とは、運転席前面に設けられたインパネ部分をいい、ダッシュボード上領域とは、ダッシュボードのすぐ上の助手席から運転席までの横長の領域をいい、ＨＵＤ上部領域・ＨＵＤ下部領域は、それぞれ、ＨＵＤの上側・下側の領域をいう。なお、ダッシュボード上領域は、ＨＵＤより手前に位置するものとする。
【００１９】
図２のフローチャートに戻る。
制御部は、車が走行中かどうかを判定し（ステップＳＴ１０５）、走行中であると判断されると（ステップＳＴ１０５の“ＹＥＳ”の場合）、ステップＳＴ１０２からの処理を繰り返す。一方、ステップＳＴ１０５において、走行中ではないと判断されると（ステップＳＴ１０５の“ＮＯ”の場合）、制御部は、車のキーがＯＦＦされたか、または、ブレーキがＯＮされている状態であるかどうかを判定する（ステップＳＴ１０６）。ステップＳＴ１０６において、キーがＯＦＦされた、または、ブレーキがＯＮにされていると判断されると（ステップＳＴ１０６の“ＹＥＳ”の場合）、処理を終了する。一方、キーはＯＦＦされていない、かつ、ブレーキがＯＦＦにされていると判断されると（ステップＳＴ１０６の“ＮＯ”の場合）、ステップＳＴ１０２に戻り、以降の処理を繰り返す。つまり、車両状態取得部１０は、車両が走行中は随時検知を行い、車両停車中は検知しない。
【００２０】
以上のように、実施の形態１によれば、車両が表示する情報について、車の状態から緊急度が高いと判断される場合は、とっさの表示でも気がつきやすいＨＵＤ上部の表示領域に表示し、また、緊急度が高くない場合は、情報取得が容易であるＨＵＤ下部の表示領域に表示するなどして、車両が表示する自車両の速度情報について、法定速度の規定内外から推測される緊急度に応じて表示される表示領域または表示する情報量を変更することで、法定速度を上回る速度で走行時など緊急度の高い状況において必要な情報を見やすくすることができる。
【００２１】
実施の形態２．
実施の形態１では、車両状態取得部１０が、車両の状態の情報として、現在地の法定速度、および、自車両の速度を取得する実施の形態について説明した。この実施の形態２では、車両状態取得部１０が、車両の状態の情報として、ナビゲーションがルート案内時であった場合に、目的地と現在地の距離、または、目的地到達までにかかる時間の情報を取得する実施の形態について説明する。
この発明の実施の形態２に係る車載表示制御装置１の構成は、実施の形態１で図１に説明した車載表示制御装置１の構成と同様であるため、重複した説明を省略する。
この発明の実施の形態２に係る車載表示制御装置１の動作については、実施の形態１で図２に示した動作と、ステップＳＴ１０２〜ステップＳＴ１０４の内容が異なるのみであるので異なる内容についてのみ説明する。
【００２２】
図２のステップＳＴ１０２において、この実施の形態２では、車両状態取得部１０は、車両の状態の情報として、目的地と現在地の距離、または、目的地到達までにかかる時間の情報を取得する。なお、目的地と現在地の距離、または、目的地到達までにかかる時間については、既存のナビゲーション装置の技術を用いて算出すればよい。
【００２３】
情報緊急状態判定部１１は、ステップＳＴ１０２において車両状態取得部１０が取得した目的地と現在地の距離、または、目的地到達までにかかる時間の情報を受信し、受信した内容により情報緊急度を判定する（ステップＳＴ１０３）。具体的には、例えば、車両状態取得部１０から取得した情報に基づき、現在地が目的地からおよそ５００ｍ以内である場合（近い場合）は、「緊急度：高」、現在地が目的地から１ｋｍ以上の場合（遠い場合）は、「緊急度：低」と判定する。つまり、目的地が近くなってきた場合には、見過ごして通り過ぎる等が起きないよう、情報提供の緊急度が高いと判断する。なお、ここでは、５００ｍ以内、１ｋｍ以上で現在地から近いか遠いかを判断することとしたが、これに限らず、判定の基準は適宜設定可能とする。また、他の例としては、例えば、車両状態取得部１０から取得した目的地到達までにかかる時間が所定時間以上の場合に「緊急度：低」と判定し、目的地到達までにかかる時間が所定時間未満の場合は「緊急度：高」と判定するようにしてもよい。つまり、目的地到達までにかかる時間が所定時間未満の場合には、目的地が近付いたと判断し、見過ごして通り過ぎる等が起きないよう、情報提供の緊急度が高いと判断するようにしてもよい。この場合も、所定時間の判定の基準は適宜設定可能とする。
【００２４】
表示態様決定部１２は、ステップＳＴ１０３で判定した情報緊急度を判定ルールに照らし合わせ、表示部１３に表示する表示情報の制御をおこなう（ステップＳＴ１０４）。なお、ここでいう表示情報とは、目的地情報や目的地までのルート情報などの目的地関連情報（外部環境警告情報）であり、ここでいう制御とは、表示する情報について、表示領域の決定と情報量の増減である。具体的には、制御パラメータ１４を参照し、適切な表示領域と表示する情報量を決定する。例えば、「緊急度：高」の場合には、ＨＵＤ上部領域やＨＵＤ下部領域、ダッシュボード上領域への外部環境警告情報表示量を増加させ、インパネ領域、ナビ領域への表示量を減少させる。また、「緊急度：低」の場合には、ＨＵＤ下部領域やダッシュボード上領域・インパネ領域、ナビ領域への外部環境警告情報表示量を増加させ、ＨＵＤ上部領域への表示量を減少させる。これは、ＨＵＤ上部領域やＨＵＤ下部領域、ダッシュボード上領域は、運転者の目線に近く、情報を取得しやすいためである。なお、これらの対応する表示領域はあらかじめ制御パラメータに登録されている。  また、ここでは緊急状態にあわせて表示領域および表示する情報量を変更するよう決定するものとしたが、緊急状態にあわせて表示領域のみを変更するようにしてもよいし、表示する情報量のみを変更するようにしてもよい。
【００２５】
以上のように、実施の形態２によれば、自車両の目的地関連情報について、車両の状態として取得した現在地から目的地までの距離、および、目的地到達までにかかる時間から推測される緊急度に応じて表示される領域または情報量を変更することで、目的地周辺にいる時など緊急度の高い状況において必要な情報を見やすくすることができる。
【００２６】
実施の形態３．
この実施の形態３では、さらに別の実施の形態として、車両状態取得部１０が、車両の状態の情報として、車内の環境情報、例えば、車内温度や車内湿度を取得する実施の形態について説明する。
この発明の実施の形態３に係る車載表示制御装置１の構成は、実施の形態１，２で図１に説明した車載表示制御装置１の構成と同様であるため、重複した説明を省略する。
この発明の実施の形態３に係る車載表示制御装置１の動作については、実施の形態１，２で図２に示した動作と、ステップＳＴ１０２〜ステップＳＴ１０４の内容が異なるのみであるので異なる内容についてのみ説明する。
【００２７】
図２のステップＳＴ１０２において、この実施の形態３では、車両状態取得部１０は、車両の状態の情報として、車内温度を取得する。なお、車両温度等、車内の環境情報については、既存の技術を用いて取得すればよい。
情報緊急状態判定部１１は、ステップＳＴ１０２において車両状態取得部１０が取得した車内温度の情報を受信し、受信した内容により情報緊急度を判定する（ステップＳＴ１０３）。具体的には、車両状態取得部１０から取得した情報に基づき、例えば、夏場の２５℃以上であったり冬場の２２℃以下であった場合には「緊急度：高」、夏場の２４℃以下であったり冬場の２２度以上であった場合には「緊急度：低」と判定する。これは、夏場車内の温度が高かったり、冬場車内の温度が低かったりすると、運転者の運転に対する集中力に問題が起きる可能性が高くなるため、そのような情報をより迅速に運転者に知らせる必要性が高いため、緊急度が高いとするものである。なお、ここでは、夏場の２５℃以上，以下、冬場の２２℃以下，以上でそれぞれ緊急度を判定することとしたが、これに限らず、判定の基準は適宜設定可能とする。また、この実施の形態３では、車内の環境情報として車内温度から緊急度を判定するようにしたが、これに限らず、車内湿度から緊急度を判定するようにしてもよいし、その他の環境情報や、車内温度と車内湿度など複数の環境情報の組み合わせから緊急度を判定するようにしてもよい。
【００２８】
表示態様決定部１２は、ステップＳＴ１０３で判定した情報緊急度を判定ルールに照らし合わせ、表示部１３に表示する表示情報の制御をおこなう（ステップＳＴ１０４）。なお、ここでいう表示情報とは、自車両の車内温度や湿度、空調状態などの自車両空調関連情報（外部環境警告情報）のことであり、ここでいう制御とは、表示する情報について、表示領域の決定と情報量の増減である。具体的には、制御パラメータ１４を参照し、適切な表示領域と表示する情報量を決定する。例えば、「緊急度：高」の場合には、ＨＵＤ上部領域やＨＵＤ下部領域、ダッシュボード上領域への外部環境警告情報表示量を増加させ、インパネ領域、ナビ領域への表示量を減少させる。また、「緊急度：低」の場合には、ＨＵＤ下部領域やダッシュボード上領域・インパネ領域、ナビ領域への外部環境警告情報表示量を増加させ、ＨＵＤ上部領域への表示量を減少させる。これは、ＨＵＤ上部領域やＨＵＤ下部領域、ダッシュボード上領域は、運転者の目線に近く、情報を取得しやすいためである。なお、これらの対応する表示領域はあらかじめ制御パラメータに登録されている。また、ここでは緊急状態にあわせて表示領域および表示する情報量を変更するよう決定するものとしたが、緊急状態にあわせて表示領域のみを変更するようにしてもよいし、表示する情報量のみを変更するようにしてもよい。
【００２９】
以上のように、実施の形態３によれば、車両が表示する車両空調情報について、車内温度や車内湿度といった車の状態情報から推測される緊急度に応じて表示される領域または情報量を変更することで、夏場に車内の温度が高いなどの緊急度の高い状況において必要な情報を見やすくすることができる。
【００３０】
実施の形態４．
この実施の形態４では、さらに別の実施の形態として、車両状態取得部１０が、車両の状態の情報として、車両前方状態を取得する実施の形態について説明する。
この発明の実施の形態４に係る車載表示制御装置１の構成は、実施の形態１〜３で図１に説明した車載表示制御装置１の構成と同様であるため、重複した説明を省略する。
この発明の実施の形態４に係る車載表示制御装置１の動作については、実施の形態１〜３で図２に示した動作と、ステップＳＴ１０２〜ステップＳＴ１０４の内容が異なるのみであるので異なる内容についてのみ説明する。
【００３１】
図２のステップＳＴ１０２において、この実施の形態４では、車両状態取得部１０は、車両の状態の情報として、車両前方状態を取得する。具体的には、車両状態取得部１０は、車両前方に取り付けた撮像カメラから得られる映像により、前方の歩行者や対向車の情報を車両前方状態として取得する。
情報緊急状態判定部１１は、ステップＳＴ１０２において車両状態取得部１０が取得した車両前方状態情報を受信し、受信した内容により情報緊急度を判定する（ステップＳＴ１０３）。具体的には、例えば、車両状態取得部１０から取得した情報に基づき、歩行者の飛び出しや対向車のはみ出しなどの注意対象物を検知した場合は「緊急度：高」、それ以外の場合は「緊急度：低」と判定する。これは、車外に歩行者の飛び出しや対向車のはみ出しがあれば危険度が増すため、運転者により迅速に情報を提供する必要性が高いため、緊急度が高いとするものである。なお、ここでは、歩行者の飛び出しや対向車のはみ出しで緊急度を判定することとしたが、これに限らず、判定の基準は適宜設定可能とする。
【００３２】
表示態様決定部１２は、ステップＳＴ１０３で判定した情報緊急度を判定ルールに照らし合わせ、表示部１３に表示する表示情報の制御をおこなう（ステップＳＴ１０４）。なお、ここでいう表示情報とは、対向車や歩行者に関する外部環境警告情報のことであり、ここでいう制御とは、表示する情報について、表示領域の決定と情報量の増減である。具体的には、制御パラメータ１４を参照し、適切な表示領域と表示する情報量を決定する。例えば、「緊急度：高」の場合には、ＨＵＤ上部領域やＨＵＤ下部領域、ダッシュボード上領域への外部環境警告情報表示量を増加させ、インパネ領域、ナビ領域への表示量を減少させる。また、「緊急度：低」の場合には、ＨＵＤ下部領域やダッシュボード上領域・インパネ領域、ナビ領域への外部環境警告情報表示量を増加させ、ＨＵＤ上部領域への表示量を減少させる。これは、ＨＵＤ上部領域やＨＵＤ下部領域、ダッシュボード上領域は、運転者の目線に近く、情報を取得しやすいためである。なお、これらの対応する表示領域はあらかじめ制御パラメータに登録されている。また、ここでは緊急状態にあわせて表示領域および表示する情報量を変更するよう決定するものとしたが、緊急状態にあわせて表示領域のみを変更するようにしてもよいし、表示する情報量のみを変更するようにしてもよい。
【００３３】
以上のように、実施の形態４によれば、車両が表示する外部環境警告情報について、車両前方状態から推測される緊急度に応じて表示される領域または情報量を変更することで、歩行者の飛び出しなどの緊急度の高い状況において必要な情報を見やすくすることができる。
【００３４】
実施の形態５．
この実施の形態５では、さらに別の実施の形態として、車両状態取得部１０が、車両の状態の情報として、車両後方状態を取得する実施の形態について説明する。
この発明の実施の形態５に係る車載表示制御装置１の構成は、実施の形態１〜４で図１に説明した車載表示制御装置１の構成と同様であるため、重複した説明を省略する。
この発明の実施の形態５に係る車載表示制御装置１の動作については、実施の形態１〜４で図２に示した動作と、ステップＳＴ１０２〜ステップＳＴ１０４の内容が異なるのみであるので異なる内容についてのみ説明する。
【００３５】
図２のステップＳＴ１０２において、この実施の形態５では、車両状態取得部１０は、車両の状態の情報として、車両後方状態を取得する。具体的には、車両状態取得部１０は、車両後方に取り付けた撮像カメラから得られる映像により、後方からの車両やバイク、自転車などの追い越しや接近といった情報を車両後方状態として取得する。
【００３６】
情報緊急状態判定部１１は、ステップＳＴ１０２において車両状態取得部１０が取得した車両前方状態情報を受信し、受信した内容により情報緊急度を判定する（ステップＳＴ１０３）。具体的には、例えば、車両状態取得部１０から取得した情報に基づき、後方からの車両やバイク、自転車などの追い越しや接近などを検知した場合は「緊急度：高」、それ以外の場合は「緊急度：低」と判定する。これは、車外の後方からの車両やバイク、自転車などの追い越しや接近は、危険度が増すため、運転者により迅速に情報を提供する必要性が高いため、緊急度が高いとするものである。なお、ここでは、後方からの車両やバイク、自転車などの追い越しや接近で緊急度を判定することとしたが、これに限らず、判定の基準は適宜設定可能とする。
【００３７】
表示態様決定部１２は、ステップＳＴ１０３で判定した情報緊急度を判定ルールに照らし合わせ、表示部１３に表示する表示情報の制御をおこなう（ステップＳＴ１０４）。なお、ここでいう表示情報とは、後方からの車両やバイク、自転車などに関する外部環境警告情報のことであり、ここでいう制御とは、表示する情報について、表示領域の決定と情報量の増減である。具体的には、制御パラメータ１４を参照し、適切な表示領域と表示する情報量を決定する。例えば、「緊急度：高」の場合には、ＨＵＤ上部領域やＨＵＤ下部領域、ダッシュボード上領域への外部環境警告情報表示量を増加させ、インパネ領域、ナビ領域への表示量を減少させる。また、「緊急度：低」の場合には、ＨＵＤ下部領域やダッシュボード上領域・インパネ領域、ナビ領域への外部環境警告情報表示量を増加させ、ＨＵＤ上部領域への表示量を減少させる。これは、ＨＵＤ上部領域やＨＵＤ下部領域、ダッシュボード上領域は、運転者の目線に近く、情報を取得しやすいためである。なお、これらの対応する表示領域はあらかじめ制御パラメータに登録されている。また、ここでは緊急状態にあわせて表示領域および表示する情報量を変更するよう決定するものとしたが、緊急状態にあわせて表示領域のみを変更するようにしてもよいし、表示する情報量のみを変更するようにしてもよい。
【００３８】
以上のように、実施の形態５によれば、車両が表示する外部環境警告情報について、車両後方状態から推測される緊急度に応じて表示される領域または情報量を変更することで、後方からのバイクの追い越しなどの緊急度の高い状況において必要な情報を見やすくすることができる。
【００３９】
実施の形態６．
図４は、この発明の実施の形態６に係る車載表示制御装置１の構成図である。
この実施の形態６に係る車載表示制御装置１は、実施の形態１〜５で説明した車両状態取得部１０の構成に加え、さらに、車外状態取得部１５と視界状態判定部１６とを備える点が異なるのみである。
なお、図４について、実施の形態１〜５において図１を用いて説明したものと同様の構成については、重複した説明を省略する。
【００４０】
車外状態取得部１５は、車外の状態の情報を取得する。なお、この実施の形態６では、車外状態取得部１５は、車外の照度を取得するものとする。
視界状態判定部１６は、車外状態取得部１５が取得した情報に基づき、運転者の視界状態を判定する。
【００４１】
図５は、この発明の実施の形態６に係る車載表示制御装置１の動作を示すフローチャートである。
図示しない制御部により、車のキーがＯＮされたと判断されると（ステップＳＴ２０１）、車外状態取得部１５は、車外の状態を取得する（ステップＳＴ２０２）。
ここでは、車外状態取得部１５は、車外の状態の情報として、表示領域それぞれにおける車外の照度を取得する。車外の照度は、例えば、車両前方の撮像カメラの画像によって得ることとすればよいし、その他の方法で取得してもよい。
【００４２】
視界状態判定部１６は、ステップＳＴ２０２において車外状態取得部１５が取得した車外の照度を受信し、受信した車外の照度により運転者の視界状態を判定する（ステップＳＴ２０３）。具体的には、例えば、ＨＵＤ表示領域の背景となる車外の照度を、「眩しい」か「暗い」かで判定する。各表示領域の背景、つまり、車両前方の撮像カメラで撮像された画像の照度が基準以上の場合は表示領域の視界状態を「眩しい」と判定し、それ以下の場合は「暗い」と判定する。ここで判定の基準とする照度は、例えば、２０００ルクス（曇天日出１時間後太陽光に相当する照度）などとすればよい。なお、判定の基準とする照度は、これに限らず、適宜設定可能とする。また、背景の照度以外にも、背景の色調を判定するようにしてもよい。
【００４３】
表示態様決定部１２は、ステップＳＴ２０３で判定した視界状態を判定ルールに照らし合わせ、表示部１３に表示する表示情報の制御をおこなう（ステップＳＴ２０４）。なお、ここでいう表示情報とは、例えば実施の形態１〜５で説明した表示情報である。また、制御とは、表示する情報について、表示領域の決定と情報量の増減であり、具体的には、制御パラメータ１４を参照し、適切な表示領域と表示する情報量を決定する。例えば、ＨＵＤ表示の各領域の視界状態が「暗い」場合は当該の領域の表示を増やす、ＨＵＤ表示の全領域が「眩しい」場合はダッシュボード上領域やインパネ領域やナビ領域の表示を増やす、などである。これらの対応する表示領域および表示する情報量はあらかじめ制御パラメータに登録されている。また、ここでは車外状態にあわせて表示する情報量を変更するよう決定するものとしたが、車外状態にあわせて表示領域を変更するようにしてもよいし、表示領域および表示する情報量の両方を変更するようにしてもよい。
また、この時、表示態様決定部１２は、情報緊急状態判定部１１が、車両状態取得部１０から車両前方状態情報を受信して判定した情報緊急度も考慮して、適切な表示領域と表示する情報量を決定する。具体的には、例えば、情報緊急状態判定部１１が「緊急度：高」と判定した情報がある場合には、「緊急度：高」の情報を優先して表示する表示情報の制御を行なうようにする。また、例えば、先に車両状態取得部１０から受信した車両状態情報の緊急度を判断し、次に視界状態を判定することにより、適切な表示領域を決定したり、適切な情報量を決定したりすることもできる。具体的には、「緊急度：高」の場合に、まず、情報の表示領域の候補としてＨＵＤ上部領域、ＨＵＤ下部領域、またはダッシュボード上領域を選択する。次に、ＨＵＤ表示の全領域が「眩しい」と判定された場合、選択された３つの領域のうち、ダッシュボード上領域に情報を表示する。または、視界状態の判定を優先し、車両状態情報の緊急度に基づき選択された表示領域の候補を用いずに、インパネ領域に情報を表示することを決定してもよい。なお、車両状態取得部１０，情報緊急状態判定部１１の具体的な動作については、実施の形態１〜５と同じであるため詳細な説明を省略する。
【００４４】
なお、背景の色調に合わせて、表示の色調を変更することも可能と考えられる。たとえば、ＨＵＤ表示の背景の色調の補色となる色を文字色とする（背景が赤色の場合は文字色は黄緑色とする）、などの制御も可能である。
【００４５】
制御部は、車が走行中かどうかを判定し（ステップＳＴ２０５）、走行中であると判断されると（ステップＳＴ２０５の“ＹＥＳ”の場合）、ステップＳＴ２０２からの処理を繰り返す。一方、ステップＳＴ２０５において、走行中ではないと判断されると（ステップＳＴ２０５の“ＮＯ”の場合）、制御部は、車のキーがＯＦＦされたか、または、ブレーキがＯＮされている状態であるかどうかを判定する（ステップＳＴ２０６）。ステップＳＴ２０６において、キーがＯＦＦされたまたは、ブレーキがＯＮにされていると判断されると（ステップＳＴ２０６の“ＹＥＳ”の場合）、処理を終了する。一方、キーはＯＦＦされていない、かつ、ブレーキがＯＦＦにされていると判断されると（ステップＳＴ２０６の“ＮＯ”の場合）、ステップＳＴ２０２に戻り、以降の処理を繰り返す。つまり、車両状態取得部１０は、車両が走行中は随時検知を行い、車両停車中は検知しない。
なお、ここでは、実施の形態１〜５で説明した車載表示制御装置１に、車外状態取得部１５と視界状態判定部１６とをさらに備え、情報の緊急度と運転者の視界状態とに基づき表示する情報の表示領域の決定と情報量の増減を制御するようにしたが、これに限らず、図４の車両状態取得部１０と情報緊急状態判定部１１を備えず、車外状態取得部１５が取得する車外の状態の情報から視界状態判定部１６が判定した運転者の視界状態のみに基づいて、表示する情報の表示領域の決定と情報量の増減を抑制するように構成してもよい。すなわち、車外の状態に関する情報を取得する車外状態取得部と、この車外状態取得部が取得した情報に基づき運転者の視界状態を判定する視界状態判定部と、この視界状態判定部の判定結果に基づき情報を表示する表示領域の変更、または表示情報量の変更を行う表示態様決定部とを備えた車載表示制御装置とすることもできる。
【００４６】
以上のように、実施の形態６によれば、車両が表示する情報について、ＨＵＤ表示の背景照度に応じて、見やすい領域に適切な情報量を表示するため、運転者はより的確に情報を取得することができる。
【００４７】
実施の形態７．
実施の形態６では、車外状態取得部１５が、車外の状態の情報として、車外の照度を取得する実施の形態について説明した。この実施の形態７では、車外状態取得部１５が、車外の状態の情報として、交通情報表示器の有無を取得する実施の形態について説明する。
この発明の実施の形態７に係る車載表示制御装置１の構成は、実施の形態６で図４に説明した車載表示制御装置１の構成と同様であるため、重複した説明を省略する。
この発明の実施の形態７に係る車載表示制御装置１の動作については、実施の形態６で図５に示した動作と、ステップＳＴ２０２〜ステップＳＴ２０４の内容が異なるのみであるので異なる内容についてのみ説明する。
【００４８】
図５のステップＳＴ２０２において、この実施の形態７では、車外状態取得部１５は、車外の状態の情報として、ＨＵＤ表示領域それぞれの背景の交通情報表示器の有無を取得する。具体的には、車両前方の撮像カメラで撮影された画像により、交通情報表示器の有無を取得すればよいし、その他の方法で交通情報表示器の有無を取得するものでもよい。
視界状態判定部１６は、ステップＳＴ２０２において車外状態取得部１５が取得した交通情報表示器の有無を受信し、受信した内容により視界状態を判定する（ステップＳＴ２０３）。具体的には、例えば、車外状態取得部１５から取得した交通情報表示器の有無に基づき、ＨＵＤ表示領域それぞれの背景に車外の交通情報表示器が「有」の場合、視界状態は悪いと判定し、「無」の場合、視界状態は良いと判定する。なお、ここで判定対象となる交通情報表示器とは、例えば、信号機、速度表示、交通標識、などをいい、本発明における表示障害物の一例である。
【００４９】
表示態様決定部１２は、ステップＳＴ２０３で判定した視界状態を判定ルールに照らし合わせ、表示部１３に表示する表示情報の制御をおこなう（ステップＳＴ２０４）。なお、ここでいう表示情報とは、例えば実施の形態１〜５で説明した表示情報である。また、制御とは、表示する情報について、表示領域の決定と情報量の増減であり、具体的には、制御パラメータ１４を参照し、適切な表示領域と表示する情報量を決定する。例えば、ここでは、ＨＵＤ表示領域について、その背景に交通情報表示器が存在する場合にはその領域への情報の表示は行わない、または表示する情報の量を減らす、といった制御を行なう。または、交通情報表示器にアイコンなどを重畳表示させる制御を行なうようにしてもよい。これらの対応する表示領域および表示する情報量はあらかじめ制御パラメータに登録されている。また、ここでは車外状態にあわせて表示領域および表示する情報量を変更するよう決定するものとしたが、車外状態にあわせて表示領域のみを変更するようにしてもよいし、表示する情報量のみを変更するようにしてもよい。
【００５０】
以上のように、実施の形態７によれば、車両が表示する情報について、ＨＵＤ表示領域の背景に交通情報表示器がある場合は、その領域に表示を出さないことで、より的確な情報提供を行なうようにすることができる。
また、実施の形態７によれば、車両が表示する情報について、ＨＵＤ表示領域の背景に交通情報表示器がある場合に、アイコンなどを重畳表示させることにより、その交通情報表示器をより強調させて運転者に伝えることができる。これにより、交通情報表示器に対する運転者の注意喚起が可能となる。
なお、上記の説明では、実施の形態１〜５で説明した車載表示制御装置１に、車外状態取得部１５と視界状態判定部１６とをさらに備える構成としたが、実施の形態６と同様、図４の車両状態取得部１０と情報緊急状態判定部１１を備えず、車外状態取得部１５が取得する車外の状態の情報から視界状態判定部１６が判定した運転者の視界状態のみに基づいて、表示する情報の表示領域の決定と情報量の増減を抑制するように構成してもよい。
【００５１】
実施の形態８．
この実施の形態８では、さらに別の実施の形態として、車外状態取得部１５が、車外の状態の情報として、運転者の前方に存在する歩行者等の障害物の有無を取得する実施の形態について説明する。なお、ここで、歩行者等の障害物は、本発明における表示障害物の一例である。
この発明の実施の形態８に係る車載表示制御装置１の構成は、実施の形態６，７で図４に説明した車載表示制御装置１の構成と同様であるため、重複した説明を省略する。
この発明の実施の形態８に係る車載表示制御装置１の動作については、実施の形態６，７の図５に示した動作と、ステップＳＴ２０２〜ステップＳＴ２０４の内容が異なるのみであるので異なる内容についてのみ説明する。
【００５２】
図５のステップＳＴ２０２において、この実施の形態８では、車外状態取得部１５は、車外の状態の情報として、ＨＵＤ表示領域それぞれの背景の障害物の有無を取得する。具体的には、車両前方の撮像カメラで撮影された画像により、障害物の有無を取得すればよいし、その他の方法で障害物の有無を取得するものでもよい。
【００５３】
視界状態判定部１６は、ステップＳＴ２０２において車外状態取得部１５が取得した障害物の有無を受信し、受信した内容により視界状態を判定する（ステップＳＴ２０３）。具体的には、例えば、車外状態取得部１５から取得した障害物の有無に基づき、ＨＵＤ表示領域それぞれの背景に車外の障害物が「有」の場合、視界状態は悪いと判定し、障害物が「無」の場合、視界状態は良いと判定する。
【００５４】
表示態様決定部１２は、ステップＳＴ２０３で判定した視界状態を判定ルールに照らし合わせ、表示部１３に表示する表示情報の制御をおこなう（ステップＳＴ２０４）。なお、ここでいう表示情報とは、例えば実施の形態１〜５で説明した表示情報である。また、制御とは、表示する情報について、表示領域の決定と情報量の増減であり、具体的には、制御パラメータ１４を参照し、適切な表示領域と表示する情報量を決定する。例えば、ＨＵＤ表示領域について、その背景に障害物が存在する場合にはその領域への情報の表示は行わない、または表示する情報の量を減らす、といった制御を行なう。または、障害物にアイコンなどを重畳表示させる制御を行なうようにしてもよい。これらの対応する表示領域および表示する情報量はあらかじめ制御パラメータに登録されている。また、ここでは車外状態にあわせて表示領域および表示する情報量を変更するよう決定するものとしたが、車外状態にあわせて表示領域のみを変更するようにしてもよいし、表示する情報量のみを変更するようにしてもよい。
【００５５】
以上のように、実施の形態８によれば、車両が表示する情報について、ＨＵＤ表示領域の背景に障害物や歩行者がある場合は、その領域に表示を出さないことで、より的確な情報提供を行なうようにすることができる。
また、実施の形態８によれば、車両が表示する情報について、ＨＵＤ表示領域の背景に障害物や歩行者がある場合に、アイコンなどを重畳表示させることにより、その障害物や歩行者をより強調させて運転者に伝えることができる。これにより、障害物や歩行者に対する運転者の注意喚起が可能となる。
なお、上記の説明では、実施の形態１〜５で説明した車載表示制御装置１に、車外状態取得部１５と視界状態判定部１６とをさらに備える構成としたが、実施の形態６、７と同様、図４の車両状態取得部１０と情報緊急状態判定部１１を備えず、車外状態取得部１５が取得する車外の状態の情報から視界状態判定部１６が判定した運転者の視界状態のみに基づいて、表示する情報の表示領域の決定と情報量の増減を抑制するように構成してもよい。
【００５６】
実施の形態９．
この実施の形態９では、さらに別の実施の形態として、車外状態取得部１５が、車外の状態の情報として、周辺施設情報を取得する実施の形態について説明する。
この発明の実施の形態９に係る車載表示制御装置１の構成は、実施の形態６〜８で図４に説明した車載表示制御装置１の構成と同様であるため、重複した説明を省略する。
この発明の実施の形態９に係る車載表示制御装置１の動作については、実施の形態６〜８で図５に示した動作と、ステップＳＴ２０２〜ステップＳＴ２０４の内容が異なるのみであるので異なる内容についてのみ説明する。
【００５７】
図５のステップＳＴ２０２において、この実施の形態９では、車外状態取得部１５は、車外の状態の情報として、あらかじめ記憶している地図データから現在地周辺施設情報を取得する。なお、現在地周辺施設情報は、例えば、現在地が商店街、小学校前、住宅地区、大通り、高速道路、周辺施設がない道、などの情報を指す。
【００５８】
視界状態判定部１６は、ステップＳＴ２０２において車外状態取得部１５が取得した現在地周辺施設情報を受信し、受信した内容により視界状態を判定する（ステップＳＴ２０３）。具体的には、例えば、車外状態取得部１５から取得した現在地周辺施設情報に基づき、前方の注意度合いが、「前方近点注意箇所」か「前方遠点注意箇所」か判定する。例えば、現在地が商店街、小学校前、住宅地区の場合は「前方近点注意箇所」とし、現在地が大通り、高速道路、周辺施設がない道の場合は「前方遠点注意箇所」と判定する。なお、「前方近点注意箇所」とするか「前方遠点注意箇所」とするかは、あらかじめ適宜設定可能とする。
【００５９】
表示態様決定部１２は、ステップＳＴ２０３で判定した視界状態を判定ルールに照らし合わせ、表示部１３の制御をおこなう（ステップＳＴ２０４）。なお、ここでいう制御とは、表示する情報について、表示領域の決定と情報量の増減であり、具体的には、制御パラメータ１４を参照し、適切な表示領域と表示する情報量を決定する。例えば、ここでは、ＨＵＤ表示領域について、「前方近点注意箇所」である場合は、ＨＵＤ上部領域への表示は行わないまたは表示の量を減らす、「前方遠点注意箇所」場合は、ナビ領域・インパネ領域への表示は行わないまたは表示の量を減らす、といった制御を行なう。つまり、運転者が近点に注意すべき状態である場合は、視線が遠くに向くようなＨＵＤ上部領域への表示を避け、運転者が遠点に注意すべき状態である場合には、視線が下に向くようなナビ領域・インパネ領域への表示を避ける。なおこれらの対応する表示領域および表示する情報量はあらかじめ制御パラメータに登録されている。また、ここでは車外状態にあわせて表示領域および表示する情報量を変更するよう決定するものとしたが、車外状態にあわせて表示領域のみを変更するようにしてもよいし、表示する情報量のみを変更するようにしてもよい。
【００６０】
以上のように、実施の形態９によれば、車両が表示する情報について、現在地の種類が前方の近点を注意する箇所か、遠点を注意する箇所かに応じて、情報を表示する領域または表示する情報量を変更することで、より的確な情報提供を行なうようにすることができる。
なお、上記の説明では、実施の形態１〜５で説明した車載表示制御装置１に、車外状態取得部１５と視界状態判定部１６とをさらに備える構成としたが、実施の形態６、７と同様、図４の車両状態取得部１０と情報緊急状態判定部１１を備えず、車外状態取得部１５が取得する車外の状態の情報から視界状態判定部１６が判定した運転者の視界状態のみに基づいて、表示する情報の表示領域の決定と情報量の増減を抑制するように構成してもよい。
【００６１】
実施の形態１０．
次に、実施の形態１〜９に加え、さらに運転者の状態の情報を取得し、運転者の状態を考慮してより的確に情報提供を行なう実施の形態について説明する。
図６は、実施の形態１〜５で図１を用いて説明した車載表示制御装置１に、運転者状態取得部１７と運転者状態判定部１８とをさらに備えた車載表示制御装置１の構成図である。
図７は、実施の形態６〜９で図４を用いて説明した車載表示制御装置１に、運転者状態取得部１７と運転者状態判定部１８とをさらに備えた車載表示制御装置１の構成図である。
なお、図６、図７において、実施の形態１〜９で説明したものと同様の構成については、重複した説明を省略する。
【００６２】
運転者状態取得部１７は、運転者の状態に関する情報を取得する。
運転者状態判定部１８は、運転者状態取得部１７が取得した運転者の状態の情報に基づき、運転者の状態を判定する。
表示態様決定部１２は、運転者状態取得部１７が取得した運転者の状態の情報にあわせて表示する情報量や表示領域を決定する。また、緊急状態では、その緊急度に応じて表示する情報量や表示領域を決定する。また、車外の状態に応じて表示する情報量や表示領域を決定する。
【００６３】
図６において、車両状態取得部１０が車両の状態の情報を取得し、情報緊急状態判定部１１が、車両の状態に基づき情報の緊急度を判定し、情報緊急状態判定部１１の判定結果に基づいて表示態様決定部１２が表示領域または表示する情報量を決定する動作については実施の形態１〜５で説明したとおりであるので、詳細な説明を省略する。また、図７において、車外状態取得部１５と視界状態判定部１６とを用いて運転者の視界状態を判定した判定結果と、車両状態取得部１０と情報緊急状態判定部１１とを用いて情報の緊急度を判定した判定結果とに基づいて表示態様決定部１２が表示領域または表示する情報量を決定する動作については、実施の形態６〜９で説明したとおりであるので、詳細な説明を省略する。ここでは、運転者状態取得部１７，運転者状態判定部１８の動作と、運転者状態判定部１８の動作を受けての表示態様決定部１２の動作について説明する。
【００６４】
図８は、この発明の実施の形態１０に係る車載表示制御装置１の運転者状態取得部１７，運転者状態判定部１８、および、表示態様決定部１２の動作のフローチャートである。
図示しない制御部により、車のキーがＯＮされたと判断されると（ステップＳＴ３０１）、運転者状態取得部１７は、運転者状態を取得する（ステップＳＴ３０２）。
ここでは、運転者状態取得部１７は、運転者の状態の情報として、運転者の目線の高さを取得する。具体的には、車内に設置されたカメラによって運転者を撮影し、撮影された運転者の目の位置から、目線の高さを検出するようにすればよい。なお、これは一例であり、他の方法を用いて運転者の目線の高さを検出するものであってもよい。
【００６５】
運転者状態判定部１８は、ステップＳＴ３０２において運転者状態取得部１７が取得した目線高さを受信し、受信した目線高さにより運転者属性、つまり、運転者の状態を判定する（ステップＳＴ３０３）。具体的には、例えば、運転者状態取得部１７から取得した目線高さに基づき、車両の座面から目線までの目線高さが８０ｃｍ以上を「目線高さ：高」とし、目線高さ８０ｃｍ以下を「目線高さ：低」とする。なお、ここでは８０ｃｍ以上を「目線高さ：高」、目線高さ８０ｃｍ以下を「目線高さ：低」としたが、これに限らず、目線が高いとするかどうかの目線高さは適宜設定可能である。
【００６６】
表示態様決定部１２は、ステップＳＴ１０３で判定した運転者の状態を、判定ルールに照らし合わせ、表示部１３の制御をおこなう（ステップＳＴ３０４）。なお、ここでいう制御とは、表示する情報について、表示領域の決定と情報量の増減であり、具体的には、制御パラメータ１４を参照し、適切な表示領域と表示する情報量を決定する。例えば、運転者が「目線高さ：高」の場合は、ＨＵＤ上部領域を適切な表示領域とする。または、運転者が「目線高さ：低」の場合はＨＵＤ下部領域やダッシュボード上領域、インパネ領域を適切な表示領域とする。これらの対応する表示領域はあらかじめ制御パラメータに登録されている。
なお、このように、運転者の状態に基づいて、表示領域のみを変更するようにしてもよいし、表示する情報量のみを変更するようにしてもよい。また、表示領域および表示する情報量の両方を変更するようにしてもよい。
【００６７】
制御部は、車が走行中かどうかを判定し（ステップＳＴ３０５）、走行中であると判断されると（ステップＳＴ３０５の“ＹＥＳ”の場合）、ステップＳＴ３０２からの処理を繰り返す。一方、ステップＳＴ３０５において、走行中ではないと判断されると（ステップＳＴ３０５の“ＮＯ”の場合）、制御部は、車のキーがＯＦＦされたか、または、ブレーキがＯＮされている状態であるかどうかを判定する（ステップＳＴ３０６）。ステップＳＴ３０６において、キーがＯＦＦされた、または、ブレーキがＯＮにされていると判断されると（ステップＳＴ３０６の“ＹＥＳ”の場合）、処理を終了する。一方、キーはＯＦＦされていない、かつ、ブレーキがＯＦＦにされていると判断されると（ステップＳＴ３０６の“ＮＯ”の場合）、ステップＳＴ３０２に戻り、以降の処理を繰り返す。つまり、運転者状態取得部１７は、車両が走行中は随時検知を行い、車両停車中は検知しない。
【００６８】
このように、運転者状態取得部１７，運転者状態判定部１８をさらに備えることで、運転者の状態を考慮した情報の提供を行なうことができる。
例えば、図６の構成について説明すると、車両状態取得部１０によって取得された車両の状態に基づき、情報緊急状態判定部１１が判定した緊急度に応じて、外部環境警告情報の表示領域または表示する情報量を変更することに加え、緊急度の低い場合等には、運転者の状態に基づいて表示領域または表示する情報量を変更することで、より的確な情報提供を行なうことができる。
【００６９】
また、例えば、図７の構成について説明すると、車外状態取得部１５によって取得された車外の状態に基づき視界状態判定部１６が判定した運転者の視界と、車両状態取得部１０によって取得された車両の状態に基づき情報緊急状態判定部１１が判定した緊急度とに応じて、外部環境警告情報の表示領域または表示する情報量を変更することに加え、車外の状態を考慮する必要性が低い場合等には、運転者の状態に基づいて表示領域または表示する情報量を変更することで、より的確な情報提供を行なうことができる。なお、図７の車両状態取得部１０と情報緊急状態判定部１１を備えず、車外状態取得部１５によって取得された車外の状態に基づき視界状態判定部１６が判定した運転者の視界に応じて、外部環境警告情報の表示領域または表示する情報量を変更することに加え、車外の状態を考慮する必要性が低い場合等には、運転者の状態に基づいて表示領域または表示する情報量を変更するようにしてもよい。この場合も、より的確な情報提供を行なうことができるという効果がある。
【００７０】
以上のように、実施の形態１０によれば、車両の状態、車外の状態に加え、運転者の状態に応じて、見やすい適切な表示領域に、必要な情報を表示することができ、運転者は運転中に、より的確に必要な情報を取得することができる。
【００７１】
実施の形態１１．
実施の形態１０では、運転者状態取得部１７が、運転者の状態に関する情報として、運転者の目線の高さを取得する実施の形態について説明した。この実施の形態１１では、運転者状態取得部１７が、運転者の状態に関する情報として、運転者の年齢を取得する実施の形態について説明する。
【００７２】
この発明の実施の形態１１に係る車載表示制御装置１の構成は、実施の形態１０において図６，図７で説明した車載表示制御装置１の構成と同様であるため、重複した説明を省略する。
この発明の実施の形態１１に係る車載表示制御装置１の動作については、実施の形態１０で図８に示した動作と、ステップＳＴ３０２〜ステップＳＴ３０４の内容が異なるのみであるので異なる内容についてのみ説明する。
【００７３】
図８のステップＳＴ３０２において、この実施の形態１０では、運転者状態取得部１７は、運転者の状態の情報として、運転者の年齢を取得する。運転者の年齢の取得方法については、従来の技術を用いればよい。具体的には、例えば、車内に設置されたカメラによって運転者を撮影し、撮影された画像の認証により、年齢を取得することとすればよい。また、運転者が運転席についた時、車載表示制御装置１が備える入力部（図示しない）から、年齢を入力し、入力された年齢情報を、運転者状態取得部１７が入力部から受信することで、年齢を取得するようにしてもよい。なお、これは一例であり、他の方法を用いて運転者の年齢を取得するものであってもよい。
【００７４】
運転者状態判定部１８は、ステップＳＴ３０２において運転者状態取得部１７が取得した年齢を受信し、受信した年齢により運転者属性、つまり、運転者の状態（年代）を判定する（ステップＳＴ３０３）。具体的には、運転者状態取得部１７から取得した年齢に基づき、６５歳以上の人を「高齢者」、６４歳以下の人を「若年者」と判定する。なお、ここでは６５歳以上を「高齢者」、６４歳以下の人を「若年者」としたが、これに限らず、高齢者とするかどうかの年齢は適宜設定可能である。
【００７５】
表示態様決定部１２は、ステップＳＴ３０３で運転者状態判定部１８が判定した運転者の年齢を判定ルールに照らし合わせ、表示部１３の制御をおこなう（ステップＳＴ３０４）。なお、ここでいう制御とは、表示する情報について、表示領域の決定と情報量の増減であり、具体的には、制御パラメータ１４を参照し、適切な表示領域と表示する情報量を決定する。例えば、運転者が「高齢者」の場合はインパネ領域やナビ領域、ダッシュボード上領域を適切な表示領域とする。運転者が「若年者」の場合はＨＵＤ表示領域を適切な表示領域とする。これらの対応する表示領域はあらかじめ制御パラメータに登録されている。
なお、このように、運転者の状態に基づいて、表示領域のみを変更するようにしてもよいし、表示する情報量のみを変更するようにしてもよい。また、表示領域および表示する情報量の両方を変更するようにしてもよい。
【００７６】
以上のように、実施の形態１１によれば、実施の形態１０同様、車両の状態、車外の状態に加え、運転者の状態に応じて、見やすい適切な表示領域に、必要な情報を表示することができ、運転者は運転中に、より的確に必要な情報を取得することができる。
【００７７】
実施の形態１２．
この実施の形態１２では、さらに別の実施の形態として、運転者状態取得部１７が、運転者の状態に関する情報として、運転者の視覚補助具情報を取得する実施の形態について説明する。
この発明の実施の形態１２に係る車載表示制御装置１の構成は、実施の形態１０，１１において図６，図７を用いて説明した車載表示制御装置１の構成と同様であるため、重複した説明を省略する。
この発明の実施の形態１２に係る車載表示制御装置１の動作については、実施の形態１０，１１で図８に示した動作と、ステップＳＴ３０２〜ステップＳＴ３０４の内容が異なるのみであるので異なる内容についてのみ説明する。
【００７８】
図８のステップＳＴ３０２において、この実施の形態１２では、運転者状態取得部１７は、運転者の状態の情報として、運転者の視覚補助具情報、つまり、運転者の視覚補助具使用状況情報を取得する。
運転者状態判定部１８は、ステップＳＴ３０２において運転者状態取得部１７が取得した視覚補助具情報を受信し、受信した視覚補助具情報により運転者属性、つまり、運転者の状態を判定する（ステップＳＴ３０３）。具体的には、運転者が運転席についた時、車載表示制御装置１が備える入力部（図示しない）から、レンズなど、使用する視覚補助具情報を入力し、入力された視覚補助具情報を、運転者状態取得部１７が入力部から受信することで、視覚補助具使用の有無を判別するようにすればよい。なお、これは一例であり、他の方法を用いて運転者の視覚補助具情報を算出ものであってもよい。
【００７９】
運転者状態取得部１７は、運転者の状態は常時「裸眼」と判定し、受信した運転者の視覚補助具情報に基づき、「多焦点レンズ（遠近両用レンズ）の使用」有無、「多焦点レンズ（中近両用レンズ）の使用」有無、「眼精疲労軽減型累進レンズの使用」有無、「近視用レンズの使用」有無、を判定する。多焦点レンズ（遠近両用レンズ）と多焦点レンズ（中近両用レンズ）の場合は、遠視（中視）レンズと近視レンズの領域をそれぞれ指定する。例えば、遠近両用レンズの交代視タイプでレンズ上方が遠視でレンズ下方が近視、といった情報を得る。なお、ここでいうレンズとは、コンタクトレンズや眼鏡レンズなど、レンズを使用する視覚補助具すべてを指す。
【００８０】
表示態様決定部１２は、ステップＳＴ３０３で判定した運転者の視覚補助具情報を判定ルールに照らし合わせ、表示部１３の制御をおこなう（ステップＳＴ３０４）。なお、ここでいう制御とは、表示する情報について、表示領域の決定と情報量の増減であり、具体的には、制御パラメータ１４を参照し、適切な表示領域と表示する情報量を決定する。例えば、運転者が「多焦点レンズ（遠近両用レンズ）の使用」の場合はＨＵＤ上部領域とナビ領域・ダッシュボード上領域を適切とし、運転者が「裸眼」の場合はＨＵＤ領域やダッシュボード上領域を適切とし、運転者が「眼精疲労軽減型累進レンズ」を使用している場合はナビ領域やインパネ領域・ダッシュボード上領域を適切とし、運転者が「多焦点レンズ（中近両用レンズ）」を使用している場合はＨＵＤ下部領域やインパネ領域・ダッシュボード上領域を適切とする。これらの対応する表示領域はあらかじめ制御パラメータに登録されている。
なお、このように、運転者の状態に基づいて、表示領域のみを変更するようにしてもよいし、表示する情報量のみを変更するようにしてもよい。また、表示領域および表示する情報量の両方を変更するようにしてもよい。
【００８１】
以上のように、実施の形態１２によれば、実施の形態１０，１１同様、車両の状態、車外の状態に加え、運転者の状態に応じて、見やすい適切な表示領域に、必要な情報を表示することができ、運転者は運転中に、より的確に必要な情報を取得することができる。
【００８２】
実施の形態１３．
この実施の形態１３では、さらに別の実施例として、運転者状態取得部１７が、運転者の状態に関する情報として、運転者の眼球移動量を取得する実施の形態について説明する。
この発明の実施の形態１３に係る車載表示制御装置１の構成は、実施の形態１０〜１２において図６，図７で説明した車載表示制御装置１の構成と同様であるため、重複した説明を省略する。
この発明の実施の形態１３に係る車載表示制御装置１の動作については、実施の形態１０〜１２で図８に示した動作と、ステップＳＴ３０２〜ステップＳＴ３０４の内容が異なるのみであるので異なる内容についてのみ説明する。
【００８３】
図８のステップＳＴ３０２において、この実施の形態１３では、運転者状態取得部１７は、運転者の状態の情報として、運転者の眼球移動量を取得する。具体的には、運転者前方に設置された撮像カメラにより運転者を撮影した画像により、運転者の眼球移動量を算出する。その場合は、運転者が運転席についた時の眼球位置を初期値として扱う。なお、これは一例であり、他の方法を用いて運転者の眼球移動量を算出ものであってもよい。
【００８４】
運転者状態判定部１８は、ステップＳＴ３０２において運転者状態取得部１７が取得した眼球移動量を受信し、受信した眼球移動量により運転者属性、つまり、運転者の状態を判定する（ステップＳＴ３０３）。具体的には、例えば、運転者の眼球の位置が二次平面映像上で４ｃｍ以上の変位が毎分５回以上の場合は、情報取得負荷「高」とし、それ以下の場合は「低」と判定する。なお、ここでは運転者の眼球の位置が二次平面映像上で４ｃｍ以上の変位が毎分５回以上の場合は、情報取得負荷「高」としたが、これに限らず、情報取得不可を高いとするかどうかの基準は適宜設定可能である。
【００８５】
表示態様決定部１２は、ステップＳＴ３０３で判定した運転者の情報取得負荷を判定ルールに照らし合わせ、表示部１３の制御をおこなう（ステップＳＴ３０４）。なお、ここでいう制御とは、表示する情報について、表示領域の決定と情報量の増減であり、具体的には、制御パラメータ１４を参照し、適切な表示領域と表示する情報量を決定する。例えば、運転者の情報取得負荷が「高」の場合は、ＨＵＤ表示領域やダッシュボード上領域の表示を増やす、または、インパネ領域やナビ領域の表示を減らす。これらの対応する表示領域はあらかじめ制御パラメータに登録されている。
なお、このように、運転者の状態に基づいて、表示する情報量のみを変更するようにしてもよいし、表示領域のみを変更するようにしてもよい。また、表示領域および表示する情報量の両方を変更するようにしてもよい。
【００８６】
以上のように、実施の形態１３によれば、実施の形態１０〜１２同様、車両の状態、車外の状態に加え、運転者の状態に応じて、見やすい適切な表示領域に、必要な情報を表示することができ、運転者は運転中に、より的確に必要な情報を取得することができる。
【００８７】
実施の形態１４．
この実施の形態１４では、さらに別の実施例として、運転者状態取得部１７が、運転者の状態に関する情報として、運転者の眼球位置を取得する実施の形態について説明する。
この発明の実施の形態１４に係る車載表示制御装置１の構成は、実施の形態１０〜１３において図６，図７で説明した車載表示制御装置１の構成と同様であるため、重複した説明を省略する。
この発明の実施の形態１４に係る車載表示制御装置１の動作については、実施の形態１０〜１３で図８に示した動作と、ステップＳＴ３０２〜ステップＳＴ３０４の内容が異なるのみであるので異なる内容についてのみ説明する。
【００８８】
図８のステップＳＴ３０２において、この実施の形態１４では、運転者状態取得部１７は、運転者の状態の情報として、運転者の眼球位置を取得し、注視箇所および注視時間を算出する。眼球位置の取得方法は、従来の技術を用いればよく、例えば、運転席前方に設置された撮像カメラで運転者を撮影した画像によって取得すればよい。運転者が運転席についた時の眼球位置を初期値として扱い、そこからの眼球位置の移動距離から注視箇所の算出、また、各注視箇所に眼球位置が固定された時間を計測する。なお、ここでは、撮像カメラで運転者を撮影した画像によって運転者の眼球位置を取得することとしたが、これに限らず、別の方法で眼球位置を取得してもよい。
【００８９】
運転者状態判定部１８は、ステップＳＴ３０２において運転者状態取得部１７が算出した運転者の注視箇所および注視時間の情報を受信し、受信した運転者の注視箇所および注視時間の情報に基づき運転者属性、つまり、運転者の状態を判定する（ステップＳＴ３０３）。具体的には、運転者状態判定部１８は、表示領域それぞれで運転者の目線注視量を「高」か「低」で判定する。例えば、ひとつの表示領域に目線が２秒以上停止されている場合に、運転者状態判定部１８は、その表示領域の注視量を「高」と判定し、それ以下の場合は「低」と判定する。なお、ここでいう表示領域とは、図３で示した７つの領域を指す。
【００９０】
また、ここでは、ひとつの表示領域に目線が２秒以上停止されている場合に注視量「高」と判定したが、これに限らず、注視量「高」とする基準は適宜設定可能とする。
表示態様決定部１２は、ステップＳＴ３０３で判定した視界状態を判定ルールに照らし合わせ、表示部１３の制御をおこなう（ステップＳＴ３０４）。なお、ここでいう制御とは、表示する情報について、表示領域の情報量の増減であり、具体的には、制御パラメータ１４を参照し、適切な表示領域と表示する情報量を決定する。例えば、表示領域の注視量「高」と判定された領域の情報量を減らす、または、表示をなくす。これらの対応する表示領域の情報量はあらかじめ制御パラメータに登録されている。
なお、このように、運転者の状態に基づいて、表示する情報量のみを変更するようにしてもよいし、表示領域のみを変更するようにしてもよい。また、表示領域および表示する情報量の両方を変更するようにしてもよい。
【００９１】
以上のように、実施の形態１４によれば、実施の形態１０〜１３同様、車両の状態、車外の状態に加え、運転者の状態に応じて、見やすい適切な表示領域に、必要な情報を表示することができ、運転者は運転中に、より的確に必要な情報を取得することができる。
【００９２】
なお、実施の形態１〜１４は適宜組み合わせる構成とすることが可能であり、情報緊急状態判定部１１、視界状態判定部１６、運転者状態判定部１８のいずれか一つを備える構成とすればよく、表示態様決定部１２は、情報緊急判定部１１、視界状態判定部１６、運転者状態判定部１８のいずれか一つの判定結果に基づき、情報を表示する領域または表示する情報量を変更するようにすることが可能である。
【００９３】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００９４】
この発明に係る車載表示制御装置は、車両が表示する情報について、車の状態に応じて、表示される領域または情報量を変更することで、表示の視認性を上げるとともに、表示の視認による運転の阻害をしないようにすることができるため、運転者に対して走行中に情報を提供する車載表示制御装置等に適用することができる。
【符号の説明】
【００９５】
１  車載表示制御装置、１０  車両状態取得部、１１  情報緊急状態判定部、１２  表示態様決定部、１３  表示部、１４  制御パラメータ、１５  車外状態取得部、１６  視界状態判定部、１７  運転者状態取得部、１８  運転者状態判定部。
【図１】
2015025350.tif 000003
【図２】
2015025350.tif 000004
【図３】
2015025350.tif 000005
【図４】
2015025350.tif 000006
【図５】
2015025350.tif 000007
【図６】
2015025350.tif 000008
【図７】
2015025350.tif 000009
【図８】
2015025350.tif 000010
【手続補正書】
【提出日】平成27年11月12日(2015.11.12)
【手続補正１】
【補正対象書類名】明細書
【補正対象項目名】０００９
【補正方法】変更
【補正の内容】
【０００９】
この発明に係る車載表示制御装置は、運転者に対して、走行中に情報を提供する車載表示制御装置であって、運転者に提供する情報として車両の状態に関する情報を取得する車両状態取得部と、前記車両状態取得部が取得した情報の緊急度を判定する緊急度判定部と、前記運転者の目線の高さまたは年齢または視覚補助具のうちのいずれか一つに関する情報を取得する運転者状態取得部と、前記緊急度判定部の判定結果と、前記運転者の目線の高さまたは年齢または視角補助具のうちのいずれか一つに関する情報とに基づき、前記走行中に提供する情報を表示する表示領域、および、当該表示領域への表示情報量を、表示態様として決定する表示態様決定部とを備えたものである。
【手続補正２】
【補正対象書類名】特許請求の範囲
【補正対象項目名】全文
【補正方法】変更
【補正の内容】
【特許請求の範囲】
【請求項１】
運転者に対して、走行中に情報を提供する車載表示制御装置であって、
運転者に提供する情報として車両の状態に関する情報を取得する車両状態取得部と、
前記車両状態取得部が取得した情報の緊急度を判定する緊急度判定部と、
前記運転者の目線の高さまたは年齢または視覚補助具のうちのいずれか一つに関する情報を取得する運転者状態取得部と、
前記緊急度判定部の判定結果と、前記運転者の目線の高さまたは年齢または視角補助具のうちのいずれか一つに関する情報とに基づき、前記走行中に提供する情報を表示する表示領域、および、当該表示領域への表示情報量を、表示態様として決定する表示態様決定部
とを備えた車載表示装置。
【請求項２】
車外の状態に関する情報を取得する車外状態取得部と、
前記車外状態取得部が取得した情報に基づき、前記運転者の視界状態を判定する視界状態判定部とをさらに備え、
前記表示態様決定部は、前記緊急度判定部の判定結果、前記運転者の目線の高さまたは年齢または視角補助具のうちのいずれか一つに関する情報、および前記視界状態判定部の判定結果に基づき前記表示態様を決定する
ことを特徴とする請求項１記載の車載表示制御装置。
【請求項３】
前記車両状態取得部は、現在地の法定速度、および、自車両の速度を取得し、
前記緊急度判定部は、前記現在地の法定速度、および、自車両の速度に基づき、前記情報の緊急度を判定する
ことを特徴とする請求項１記載の車載表示制御装置。
【請求項４】
前記車両状態取得部は、目的地と現在地の距離、または、目的地到達までにかかる時間を取得し、
前記緊急度判定部は、前記目的地と現在地の距離、または、前記目的地到達までにかかる時間に基づき、前記情報の緊急度を判定する
ことを特徴とする請求項１記載の車載表示制御装置。
【請求項５】
前記車両状態取得部は、車内の環境情報を取得し、
前記緊急度判定部は、前記環境情報とあらかじめ設定された基準値とに基づき、前記情報の緊急度を判定する
ことを特徴とする請求項１記載の車載表示制御装置。
【請求項６】
前記車両状態取得部は、車両前方状態または車両後方状態を取得し、
前記緊急度判定部は、車両前方または車両後方の注意対象物の存在有無に基づき、前記情報の緊急度を判定する
ことを特徴とする請求項１記載の車載表示制御装置。
【請求項７】
前記車外状態取得部は、車外の照度を取得し、
前記表示態様決定部は、前記照度が、あらかじめ設定された基準以上の場合に、前記表示態様を決定する
ことを特徴とする請求項２記載の車載表示装置。
【請求項８】
前記車外状態取得部は、車外の表示障害物の有無を取得し、
前記表示態様決定部は、背景に前記表示障害物が存在する表示領域に前記情報を表示しない
ことを特徴とする請求項２記載の車載表示装置。
【請求項９】
前記車外状態取得部は、現在地周辺施設情報を取得し、
前記表示態様決定部は、前記現在地周辺施設情報に基づき、前記表示態様を決定する
ことを特徴とする請求項２記載の車載表示装置。
【手続補正書】
【提出日】平成28年12月2日(2016.12.2)
【手続補正１】
【補正対象書類名】明細書
【補正対象項目名】０００９
【補正方法】変更
【補正の内容】
【０００９】
この発明に係る車載表示制御装置は、運転者に対して、走行中に情報を提供する車載表示制御装置であって、運転者に提供する情報として車両の状態に関する情報を取得する車両状態取得部と、前記車両状態取得部が取得した情報の緊急度を判定する緊急度判定部と、前記運転者の年齢に関する情報を取得する運転者状態取得部と、前記緊急度判定部の判定結果と、前記運転者の年齢に関する情報とに基づき、前記走行中に提供する情報を表示する表示領域、および、当該表示領域への表示情報量を、表示態様として決定する表示態様決定部とを備えたものである。
【手続補正２】
【補正対象書類名】特許請求の範囲
【補正対象項目名】全文
【補正方法】変更
【補正の内容】
【特許請求の範囲】
【請求項１】
運転者に対して、走行中に情報を提供する車載表示制御装置であって、
運転者に提供する情報として車両の状態に関する情報を取得する車両状態取得部と、
前記車両状態取得部が取得した情報の緊急度を判定する緊急度判定部と、
前記運転者の年齢に関する情報を取得する運転者状態取得部と、
前記緊急度判定部の判定結果と、前記運転者の年齢に関する情報とに基づき、前記走行中に提供する情報を表示する表示領域、および、当該表示領域への表示情報量を、表示態様として決定する表示態様決定部
とを備えた車載表示制御装置。
【請求項２】
車外の状態に関する情報を取得する車外状態取得部と、
前記車外状態取得部が取得した情報に基づき、前記運転者の視界状態を判定する視界状態判定部とをさらに備え、
前記表示態様決定部は、前記緊急度判定部の判定結果、前記運転者の目線の高さまたは年齢または視覚補助具のうちのいずれか一つに関する情報、および前記視界状態判定部の判定結果に基づき前記表示態様を決定する
ことを特徴とする請求項１記載の車載表示制御装置。
【請求項３】
前記車両状態取得部は、現在地の法定速度、および、自車両の速度を取得し、
前記緊急度判定部は、前記現在地の法定速度、および、自車両の速度に基づき、前記情報の緊急度を判定する
ことを特徴とする請求項１記載の車載表示制御装置。
【請求項４】
前記車両状態取得部は、目的地と現在地の距離、または、目的地到達までにかかる時間を取得し、
前記緊急度判定部は、前記目的地と現在地の距離、または、前記目的地到達までにかかる時間に基づき、前記情報の緊急度を判定する
ことを特徴とする請求項１記載の車載表示制御装置。
【請求項５】
前記車両状態取得部は、車内の環境情報を取得し、
前記緊急度判定部は、前記環境情報とあらかじめ設定された基準値とに基づき、前記情報の緊急度を判定する
ことを特徴とする請求項１記載の車載表示制御装置。
【請求項６】
前記車両状態取得部は、車両前方状態または車両後方状態を取得し、
前記緊急度判定部は、車両前方または車両後方の注意対象物の存在有無に基づき、前記情報の緊急度を判定する
ことを特徴とする請求項１記載の車載表示制御装置。
【請求項７】
前記車外状態取得部は、車外の照度を取得し、
前記表示態様決定部は、前記照度が、あらかじめ設定された基準以上の場合に、前記表示態様を決定する
ことを特徴とする請求項２記載の車載表示制御装置。
【請求項８】
前記車外状態取得部は、車外の表示障害物の有無を取得し、
前記表示態様決定部は、背景に前記表示障害物が存在する表示領域に前記情報を表示しない
ことを特徴とする請求項２記載の車載表示制御装置。
【請求項９】
前記車外状態取得部は、現在地周辺施設情報を取得し、
前記表示態様決定部は、前記現在地周辺施設情報に基づき、前記表示態様を決定する
ことを特徴とする請求項２記載の車載表示制御装置。
【請求項１０】
前記運転者状態取得部は、前記運転者の年齢に代えて前記運転者の目線の高さに関する情報を取得し、
前記表示態様決定部は、前記緊急度判定部の判定結果と、前記運転者の目線の高さに関する情報とに基づき、前記走行中に提供する情報を表示する表示領域、および、当該表示領域への表示情報量を、表示態様として決定する
ことを特徴とする請求項１記載の車載表示制御装置。
【請求項１１】
前記運転者状態取得部は、前記運転者の年齢に代えて前記運転者の視覚補助具に関する情報を取得し、
前記表示態様決定部は、前記緊急度判定部の判定結果と、前記運転者の視覚補助具に関する情報とに基づき、前記走行中に提供する情報を表示する表示領域、および、当該表示領域への表示情報量を、表示態様として決定する
ことを特徴とする請求項１記載の車載表示制御装置。
【請求項１２】
運転者に対して、走行中に情報を提供する車載表示制御方法であって、
車両状態取得部が、運転者に提供する情報として車両の状態に関する情報を取得するステップと、
緊急度判定部が、前記車両状態取得部が取得した情報の緊急度を判定するステップと、
運転者状態取得部が、前記運転者の年齢に関する情報を取得するステップと、
表示態様決定部が、前記緊急度判定部の判定結果と、前記運転者の年齢に関する情報とに基づき、前記走行中に提供する情報を表示する表示領域、および、当該表示領域への表示情報量を、表示態様として決定するステップ
とを備えた車載表示制御方法。
【国際調査報告】
2015025350.tif 000011
2015025350.tif 000012
2015025350.tif 000013
2015025350.tif 000014
2015025350.tif 000015
2015025350.tif 000016
2015025350.tif 000017
2015025350.tif 000018
2015025350.tif 000019